(57)【要約】【課題】副走査方向の位置で主走査方向の変倍率を調整して画像形成する。【解決手段】カラー複写機１００は、主走査方向の画像形成に係るクロック信号を生成する信号生成部３７と、その信号生成部３７で生成されたクロック信号に同期した主走査方向への画像形成を行う書込ユニット３を有する画像形成部６０と、用紙への画像形成時における画像の副走査方向の位置に関連付けて画像の主走査方向の倍率を設定する操作パネル４８とを有し、制御部１５の制御の下、画像形成部６０で画像形成を行う際に、操作パネル４８で設定された倍率に基づいて、前記副走査方向の位置に応じた周波数のクロック信号を生成させる。【選択図】図４
2009175333.tif 000002
【特許請求の範囲】
【請求項１】
主走査方向の画像形成に係るクロック信号を生成する信号生成部と、
副走査方向に相対移動する用紙に対して、前記信号生成部で生成されたクロック信号に同期した主走査方向への画像形成を行う書込ユニットを有する画像形成部と、
入力される画像データを前記書込ユニットの駆動用のデータに変換する画像処理部と、
用紙への画像形成時における画像の副走査方向の位置に関連付けて画像の主走査方向の倍率を設定する倍率設定部と、
前記画像処理部で変換された駆動用のデータに基づいた前記書込ユニットでの画像形成を行う際に、前記倍率設定部で設定された倍率に基づいて、前記副走査方向の相対位置に応じた周波数のクロック信号を生成させるように制御する制御部と、
を備える画像形成装置。
【請求項２】
前記倍率設定部は、画像の副走査方向の一の位置における画像の主走査方向の倍率である第１倍率及び画像の副走査方向の他の位置における画像の主走査方向の倍率である第２倍率を設定し、
前記制御部は、前記倍率設定部で設定された第１倍率及び第２倍率に基づいて、画像の副走査方向の複数の位置について画像の主走査方向の倍率をそれぞれ算出し、当該算出された倍率に基づいて制御する請求項１に記載の画像形成装置。
【請求項３】
前記倍率設定部は、画像の副走査方向の一の位置における画像の主走査方向の倍率及び画像の副走査方向における位置の変化量に応じた前記倍率の変化量を設定し、
前記制御部は、前記倍率設定部で設定された倍率及び倍率の変化量に基づいて、画像の副走査方向の複数の位置について画像の主走査方向の倍率をそれぞれ算出し、当該算出された倍率に基づいて制御する請求項１に記載の画像形成装置。
【請求項４】
操作者からの設定入力を受け付ける設定部を備え、
前記倍率設定部における設定は、前記設定部からの設定入力に基づいて行う請求項１〜３のいずれか一項に記載の画像形成装置。
【請求項５】
用紙の種別ごとの設定情報を格納する第１記憶部を備え、
前記倍率設定部における設定は、前記用紙の種別ごとの設定を前記第１記憶部から読み出して行う請求項１〜４のいずれか一項に記載の画像形成装置。
【請求項６】
複数の用紙トレイから前記書込ユニットへ用紙を搬送する搬送部と、
前記複数の用紙トレイごとの設定情報を格納する第２記憶部を備え、
前記倍率設定部における設定は、前記用紙トレイごとの設定を前記第２記憶部から読み出して行う請求項１〜５のいずれか一項に記載の画像形成装置。
【請求項７】
用紙における画像形成面ごとの設定情報を格納する第３記憶部を備え、
前記倍率設定部における設定は、前記画像形成面ごとの設定を前記第３記憶部から読み出して行う請求項１〜６のいずれか一項に記載の画像形成装置。
【請求項８】
主走査方向の画像形成に係るクロック信号を生成する信号生成部及び副走査方向に相対移動する用紙に対して、前記信号生成部で生成されたクロック信号に同期した主走査方向への画像形成を行う書込ユニットを有する画像形成装置における画像形成方法であって、
用紙への画像形成時における画像の副走査方向の位置に関連付けて画像の主走査方向の倍率を設定し、前記書込ユニットでの画像形成を行う際に、前記設定された倍率に基づいて、前記副走査方向の相対位置に応じた周波数のクロック信号を生成して画像形成を行う画像形成方法。
【発明の詳細な説明】
【技術分野】
【０００１】
本発明は、画像形成装置及び画像形成方法に関する。
【背景技術】
【０００２】
従来から、入力される画像データに基づいて、ＬＤ（LaserDiode）とポリゴンミラーなどによる書込光学系により感光体ドラムに静電潜像を形成し、その静電潜像にトナーを付着して形成されたトナー像を紙などの記録媒体（以下、「用紙」という）に転写させて熱定着させることで画像形成する画像形成装置が知られている。
【０００３】
この画像形成装置において、入力される画像データに係る画像に対して用紙に形成する画像を変形する場合は、当該入力される画像データへ回転等の画像処理を施すことや、書込光学系において用紙に一画素を形成するためのドットクロックを変調することが知られている。
【０００４】
例えば、特許文献１には、画像形成装置において、表面に対して裏面へ形成する画像を調整するための画像処理として、相似形又は相似形のまま回転することが開示されている。また、特許文献２には、デジタルディレイによりドットクロックを変調する技術が開示されている。また、特許文献３、４には、色間の横倍調整のためにドットクロック周波数を制御する技術が開示されている。
【特許文献１】特開２００５−１８６３３７号公報
【特許文献２】特開平５−２７５９８８号公報
【特許文献３】特開２０００−１９８２３５号公報
【特許文献４】特開２０００−２４６９５９号公報
【発明の開示】
【発明が解決しようとする課題】
【０００５】
上記の画像形成装置においては、用紙の両面に画像形成が可能な（両面モードを備える）装置もあり、表面に続いて裏面への画像形成を行うものがある。このような用紙の両面に画像形成を行う場合は、片面に画像を形成した際に熱定着により用紙が変形することが知られている。
【０００６】
この熱定着による用紙の変形は、用紙に厚みがあるほど著しく、画像形成完了後に用紙が空気中の水分を吸収することにより徐々に解消される。また、用紙を搬送させるローラにヒータを備えたローラを押し付けて熱定着する構成等では、用紙の副走査方向（搬送方向）の位置で主走査方向の収縮率に差異が生じるため、用紙が台形状に変形する。
【０００７】
このため、用紙の両面に画像形成する場合は、使用状況に応じて画素単位の微小な変形処理を行う必要があった。特に両面に画像形成を行う場合は、熱収縮による変形が解消する前に裏面へ画像形成を行うため、熱収縮対策として微細な変形処理を行う必要があった。例えば、表面に対して裏面の画像を微小縮小して画像形成する必要があった。
【０００８】
しかしながら、上記従来技術では、表面に対して裏面に画像形成する際のドットクロックを一律に変調して１枚の画像全体を同倍率で一様に変倍することことはできるが、副走査方向の位置で主走査方向の変倍率を変更することなどができなかった。このため、熱定着により用紙が台形状に変形される場合などには十分に対応することができなかった。
【０００９】
本発明の課題は、上記従来技術の問題に鑑みてなされたものであって、副走査方向の位置で主走査方向の変倍率を調整して画像形成することである。
【課題を解決するための手段】
【００１０】
上記課題を解決するために、請求項１に記載の発明は、主走査方向の画像形成に係るクロック信号を生成する信号生成部と、
副走査方向に相対移動する用紙に対して、前記信号生成部で生成されたクロック信号に同期した主走査方向への画像形成を行う書込ユニットを有する画像形成部と、
入力される画像データを前記書込ユニットの駆動用のデータに変換する画像処理部と、
用紙への画像形成時における画像の副走査方向の位置に関連付けて画像の主走査方向の倍率を設定する倍率設定部と、
前記画像処理部で変換された駆動用のデータに基づいた前記書込ユニットでの画像形成を行う際に、前記倍率設定部で設定された倍率に基づいて、前記副走査方向の相対位置に応じた周波数のクロック信号を生成させるように制御する制御部と、
を備える。
【００１１】
請求項２に記載の発明は、請求項１に記載の発明において、前記倍率設定部は、画像の副走査方向の一の位置における画像の主走査方向の倍率である第１倍率及び画像の副走査方向の他の位置における画像の主走査方向の倍率である第２倍率を設定し、
前記制御部は、前記倍率設定部で設定された第１倍率及び第２倍率に基づいて、画像の副走査方向の複数の位置について画像の主走査方向の倍率をそれぞれ算出し、当該算出された倍率に基づいて制御する。
【００１２】
請求項３に記載の発明は、請求項１に記載の発明において、前記倍率設定部は、画像の副走査方向の一の位置における画像の主走査方向の倍率及び画像の副走査方向における位置の変化量に応じた前記倍率の変化量を設定し、
前記制御部は、前記倍率設定部で設定された倍率及び倍率の変化量に基づいて、画像の副走査方向の複数の位置について画像の主走査方向の倍率をそれぞれ算出し、当該算出された倍率に基づいて制御する。
【００１３】
請求項４に記載の発明は、請求項１〜３のいずれか一項に記載の発明において、操作者からの設定入力を受け付ける設定部を備え、
前記倍率設定部における設定は、前記設定部からの設定入力に基づいて行う。
【００１４】
請求項５に記載の発明は、請求項１〜４のいずれか一項に記載の発明において、用紙の種別ごとの設定情報を格納する第１記憶部を備え、
前記倍率設定部における設定は、前記用紙の種別ごとの設定を前記第１記憶部から読み出して行う。
【００１５】
請求項６に記載の発明は、請求項１〜５のいずれか一項に記載の発明において、複数の用紙トレイから前記書込ユニットへ用紙を搬送する搬送部と、
前記複数の用紙トレイごとの設定情報を格納する第２記憶部を備え、
前記倍率設定部における設定は、前記用紙トレイごとの設定を前記第２記憶部から読み出して行う。
【００１６】
請求項７に記載の発明は、請求項１〜６のいずれか一項に記載の発明において、用紙における画像形成面ごとの設定情報を格納する第３記憶部を備え、
前記倍率設定部における設定は、前記画像形成面ごとの設定を前記第３記憶部から読み出して行う。
【００１７】
請求項８に記載の発明は、主走査方向の画像形成に係るクロック信号を生成する信号生成部及び副走査方向に相対移動する用紙に対して、前記信号生成部で生成されたクロック信号に同期した主走査方向への画像形成を行う書込ユニットを有する画像形成装置における画像形成方法であって、
用紙への画像形成時における画像の副走査方向の位置に関連付けて画像の主走査方向の倍率を設定し、前記書込ユニットでの画像形成を行う際に、前記設定された倍率に基づいて、前記副走査方向の相対位置に応じた周波数のクロック信号を生成して画像形成を行う。
【発明の効果】
【００１８】
請求項１、８に記載の発明によれば、書込ユニットでの画像形成を行う際に、設定された倍率に基づいて、副走査方向の相対位置に応じて主走査方向の画像形成に係るクロック信号を生成させることができ、副走査方向の位置で主走査方向の変倍率を調整して画像形成できる。
【００１９】
請求項２に記載の発明によれば、倍率設定部で設定された、画像の副走査方向の一の位置における画像の主走査方向の倍率である第１倍率及び画像の副走査方向の他の位置における画像の主走査方向の倍率である第２倍率により、画像の副走査方向の複数の位置について画像の主走査方向の倍率をそれぞれ算出することができ、副走査方向の位置で主走査方向の変倍率を調整して画像形成できる。
【００２０】
請求項３に記載の発明によれば、倍率設定部で設定された、画像の副走査方向の一の位置における画像の主走査方向の倍率及び画像の副走査方向における位置の変化量に応じた前記倍率の変化量により、画像の副走査方向の複数の位置について画像の主走査方向の倍率をそれぞれ算出することができ、副走査方向の位置で主走査方向の変倍率を調整して画像形成できる。
【００２１】
請求項４に記載の発明によれば、操作者からの設定入力により倍率設定部における倍率を設定することができる。
【００２２】
請求項５に記載の発明によれば、第１記憶部から用紙の種別ごとの設定情報を読み出して倍率設定部における設定を行うことができる。
【００２３】
請求項６に記載の発明によれば、第２記憶部から複数の用紙トレイごとの設定情報を読み出して倍率設定部における設定を行うことができる。
【００２４】
請求項７に記載の発明によれば、第３記憶部から用紙における画像形成面ごとの設定情報を読み出して倍率設定部における設定を行うことができる。
【発明を実施するための最良の形態】
【００２５】
以下、この発明の実施の形態について図を参照して説明するが、この発明は以下の実施の形態に限定しない。また、この発明の実施の形態は発明の最も好ましい形態を示すものであり、発明の用途や説明で用いる用語はこれに限定するものではない。
【００２６】
先ず、用紙にカラー画像を形成する画像形成装置の一例であるカラー複写機の構成について図１〜３を参照して説明する。図１は、カラー複写機１００の内部構成を示している。図２は、カラー複写機１００における画像形成ユニット１０の構成を例示している。図３は、カラー複写機１００における書込ユニット３の構成を例示している。
【００２７】
図１に示すように、カラー複写機１００は、原稿３０に形成された色画像を読み取って取得された画像情報、又は、通信を介して他の情報機器から入力された画像情報に基づいて、用紙に色を重ね合わせて画像形成する装置である。
【００２８】
なお、本実施の形態では、上述したいわゆるコピーやプリンタなどの機能を有する複合機（ＭＦＰ：Multi Function Printer）であるカラー複写機１００を例示する。しかしながら、用紙に画像形成する画像形成装置であれば、ファクシミリ装置、コピー又はプリンタ単体の装置の他、モノクロ画像を形成する複合機などであってもよく、特に限定するものではない。
【００２９】
カラー複写機１００は、複写機本体１０１を有している。複写機本体１０１の上部には、カラー用の画像入力部１１及びＡＤＦ４０（自動原稿給紙装置）が配設されている。ＡＤＦ４０は、ＡＤＦモード時において、一又は複数の原稿３０を自動給紙するように動作する。ここにＡＤＦモードとは、ＡＤＦ４０に載置された原稿３０を自動給紙して原稿画像を自動的に読み取る動作モードをいう。
【００３０】
ＡＤＦ４０は、原稿載置部４１、ローラ４２ａ、ローラ４２ｂ、ローラ４３、搬送ローラ４４及び排紙皿４６を有している。原稿載置部４１には一又は複数の原稿３０が載置される。原稿載置部４１の下流側にはローラ４２ａ及びローラ４２ｂが設けられている。ＡＤＦモードが選択されたとき、原稿載置部４１から繰り出された原稿３０は、下流側のローラ４３によってＵ字回転するように搬送される。なおＡＤＦモードが選択された場合、原稿３０の記録面は原稿載置部４１で上に向けて載置される。
【００３１】
また、画像入力部１１は、原稿３０に形成された色画像を読み取るように動作する。画像入力部１１には、例えばカラー用のスリットスキャン型のスキャナが使用される。画像入力部１１にはアレイ状に配列されたイメージセンサ５８が備えられ、例えば、ＡＤＦモード時において、原稿３０がローラ４３によってＵ字状に反転する時に、その原稿３０の表面を読み取って画像読取信号Ｓｏｕｔが出力される。イメージセンサ５８には、例えば３ラインカラーＣＣＤ（Charge  Coupled  Device）撮像装置が使用される。
【００３２】
イメージセンサ５８は、複数の受光素子が主走査方向に配列されて構成される赤（Ｒ）、緑（Ｇ）及び青（Ｂ）色検出用の３つの読取センサを有しており、主走査方向と直交する副走査方向の異なる位置で画素を分解してＲ色、Ｇ色及びＣ色の光情報を同時に読取可能となっている。
【００３３】
画像入力部１１で読み取られた原稿３０は、搬送ローラ４４により搬送されて排紙皿４６へ排紙される。また、イメージセンサ５８は、プラテンモード時に原稿３０を読み取って得たＲＧＢ色系の画像読取信号を出力する。ここにプラテンモードとは、プラテンガラス上に載置された原稿３０に光学駆動系を走査して原稿画像を自動的に読み取る動作モードを言う。
【００３４】
画像入力部１１は、イメージセンサ５８の他に、第１のプラテンガラス５１、第２のプラテンガラス５２（ＡＤＦガラス）、光源５３、ミラー５４、５５、５６、結像光学部５７及び特に図示しない光学駆動部を有している。光源５３は、原稿３０に光を照射するように動作する。光学駆動部は原稿３０又はイメージセンサ５８を副走査方向に相対的に移動するように動作する。ここでいう副走査方向とは、イメージセンサ５８を構成する複数の受光素子の配置方向を主走査方向としたとき、この主走査方向と直交する方向をいう。このように、ＡＤＦ４０の原稿載置部４１に載置された原稿３０は前述したローラ４２ａ、４２ｂ、４３及び搬送ローラ４４により搬送され、画像入力部１１の光学系により原稿３０の片面又は両面の画像が走査露光され、画像読み取りを反映する入射光がイメージセンサ５８により読み込まれる。
【００３５】
イメージセンサ５８は、入射光の光量に応じて光電変換する。イメージセンサ５８には制御部１５を介して画像処理部３１が接続され、光電変換されたアナログの画像読取信号が画像処理部３１においてアナログ処理、Ａ／Ｄ変換、シェーディング補正、画像圧縮処理及び変倍処理等がなされ、Ｒ色、Ｇ色、Ｂ色成分のデジタルの画像データとなる。画像処理部３１は、その画像データを３次元色情報変換テーブルによって、Ｙ（イエロー）、Ｍ（マゼンダ）、Ｃ（シアン）、Ｋ（クロ）色用の画像データＤｙ、Ｄｍ、Ｄｃ、Ｄｋに変換し、その色変換後の画像データＤｙ、Ｄｍ、Ｄｃ、Ｄｋを画像形成部６０を構成する書込ユニット３Ｙ、３Ｍ、３Ｃ、３Ｋへ転送する。
【００３６】
複写機本体１０１は、いわゆるタンデム型のカラー画像形成装置である。複写機本体１０１には、画像形成部６０が設けられている。画像形成部６０は、画像入力部１１により読み取って得た画像データＤｙ、Ｄｍ、Ｄｃ、Ｄｋに基づいて色画像を形成する。画像形成部６０には、色ごとに用紙に画像形成を行うための画像形成ユニット１０Ｙ、１０Ｍ、１０Ｃ、１０Ｋと、無終端状の中間転写体６と、この中間転写体６を用紙に転写したトナー像を熱定着するための定着装置１７とが備えられている。
【００３７】
ここで、画像形成ユニット１０Ｙ、１０Ｍ、１０Ｃ、１０Ｋの詳細について説明する。なお、この複数の画像形成ユニット１０Ｙ、１０Ｍ、１０Ｃ、１０Ｋは同一の構成であり、設けられたトナーの色が異なるのみである。よって、以下では単に画像形成ユニット１０とし、この画像形成ユニット１０を構成する感光体ドラム１Ｙ等においては、便宜上、数字の後ろの英字を省略して説明する。
【００３８】
図２に示すように、画像形成ユニット１０は、感光体ドラム１と、この感光体ドラム１を帯電させる帯電部２と、レーザビームを感光体ドラム１上に走査して静電潜像を形成する書込ユニット３と、感光体ドラム１上にトナーを付着させる現像部４と、感光体ドラム１の周面上に残ったトナーをクリーニングするクリーニング部８と、感光体ドラム１の表面を除電する除電部２ａ等で構成されている。
【００３９】
書込ユニット３は、レーザビームを射出して感光体ドラム１に主走査方向の走査ラインを走査して書き込みを行うようになっており、図３に示すように、光源部３００、スリット３０２、シリンドリカルレンズ３０３、ポリゴンミラー３０４、ｆθレンズ３０５、シリンドリカルレンズ３０６、ミラー３０７、受光部３０８等で構成されている。
【００４０】
光源部３００は、後述する信号生成部３７から出力されるクロック信号に同期し、制御部１５から出力される制御信号に基づいて発光するレーザ光源ＬＤ、そのレーザ光源ＬＤから射出されるレーザ光を平行光束とするコリメータレンズ３０１等で構成されている。
【００４１】
上述した光源部３００から感光体ドラム１へのレーザビームの射出は以下のようにして行われるようになっている。まず、光源部３００から射出されるレーザビームは、感光体ドラム１のビームスポットを整形するためのスリット３０２によりレーザビームの透過が制限される。
【００４２】
次いで、スリット３０２を透過したレーザビームは、シリンドリカルレンズ３０３により回転中のポリゴンミラー３０４の鏡面に結像され、その鏡面で反射されることにより偏向される。ポリゴンミラー３０４の反射鏡面は仮想光源とみなすことができる。この仮想光源から感光体ドラム１表面までの距離が反射鏡面の向きによって異なるため、ｆθレンズ３０５により仮想光源から射出されたレーザビームの主走査速度への影響が補正される。
【００４３】
ｆθレンズ３０５から射出されたレーザビームは、シリンドリカルレンズ３０６により感光体ドラム１上に結像される。この感光体ドラム１上に結像されたレーザビームは、ポリゴンミラー３０４の回転に伴って感光体ドラム１の主走査方向に走査される。また、ポリゴンミラー３０４の回転に伴って走査されるレーザビームの一部はミラー３０７により反射され、受光部３０８で検出されるようになっている。即ち、この受光部３０８でのレーザビームの検出により、感光体ドラム１の主走査方向への一回の書き込み、その書き込み開始タイミングなどが検出可能となっている。
【００４４】
このように、書込ユニット３を備えるカラー複写機１００では、ポリゴンミラー３０４の回転により主走査方向への走査露光が行われ、感光体ドラム１が回転して副走査方向に移動されることにより画像が形成されるように構成されている。
【００４５】
なお、図３に例示した構成では、スリット３０２を透過したレーザビームを主走査方向に走査するため、８つの鏡面を有するポリゴンミラー３０４を用いているが、鏡面の数は特に限定されない。また、本実施の形態では一つのレーザ光源ＬＤから射出されるレーザ光で感光体ドラム１の主走査方向の書き込みを行う構成を例示したが、複数のレーザ光源から射出されるレーザ光をコリメータレンズ３０１で平行光束にして主走査方向の書き込みを行う構成であってもよい。
【００４６】
画像形成ユニット１０では、上述した書込ユニット３により感光体ドラム１に静電潜像が形成された後、現像部４による現像が行われる。現像部４による現像は、使用するトナー極性と同極性（例えば負極性）の直流電圧に交流電圧を重畳した現像バイアスが印加される反転現像にて行われる。この感光体ドラム１に現像されたトナー像は、複数のローラにより巻き回され、回転可能に支持された中間転写体６に転写される。
【００４７】
即ち、カラー複写機１００は、画像形成ユニット１０Ｙ、１０Ｍ、１０Ｃ、１０Ｋにより、中間転写体６にＹ色、Ｍ色、Ｃ色、Ｋ色のトナー像を順次転写する構成である。
【００４８】
ここで、図１を参照してカラー複写機１００における画像形成プロセスの概要について説明する。画像形成ユニット１０Ｙ、１０Ｍ、１０Ｃ、１０Ｋにより形成された各色の画像は、使用するトナーと反対極性（例えば正極性）の１次転写バイアス（とくに図示しない）が印加される１次転写ローラ７Ｙ、７Ｍ、７Ｃ、７Ｋにより、回動する中間転写体６上に逐次転写され、色を重ね合わせて合成されたカラー画像（色画像：カラートナー像）が形成される（１次転写）。
【００４９】
また、画像形成部６０の下方には、当該画像形成部６０に搬送する用紙Ｐを収容する用紙トレイ２０Ａ、２０Ｂ、２０Ｃが設けられている。用紙トレイ２０Ａ等に収容された用紙Ｐは、当該用紙トレイ２０Ａ等に設けられた送り出しローラ２１及び給紙ローラ２２Ａにより給紙され、搬送ローラ２２Ｂ、２２Ｃ、２２Ｄ、レジストローラ２３などを経て、２次転写ローラ７Ａに搬送される。ここにおいて用紙Ｐ上の一方の面（表面）には、中間転写体６に形成されたカラー画像が一括して転写される（２次転写）。
【００５０】
カラー画像が転写された用紙Ｐは、定着装置１７により熱定着処理が施され、排紙ローラ２４により挟持されて機外の排紙トレイ２５上に載置される。なお、転写後の中間転写体６上に残った転写残トナーはクリーニング部８Ａにより除去される。カラー複写機１００は、上述した画像形成プロセスにより、用紙Ｐの一面への画像形成を行う。
【００５１】
また、両面画像形成時には、一方の面（表面）に画像形成された後、定着装置１７から排出された用紙Ｐが分岐部２６により排紙トレイ２５へ載置される排紙路から分岐される。次いで、用紙Ｐは、下方の循環通紙路２７Ａを経て、再給紙機構（ＡＤＵ機構）である反転搬送路２７Ｂにより表裏が反転され、再給紙搬送部２７Ｃを通過して搬送ローラ２２Ｄから前述した転写経路に合流される。この反転搬送された用紙Ｐは、レジストローラ２３を経て、再度２次転写ローラ７Ａに搬送され、他方の面（裏面）上にカラー画像が一括転写された後に機外の排紙トレイ２５上に載置される。
【００５２】
この画像形成プロセスが行われる用紙Ｐとしては、５２．３〜６３．９ｋｇ／ｍ２（１０００枚）程度の薄紙や６４．０〜８１．４ｋｇ／ｍ２（１０００枚）程度の普通紙、８３．０〜１３０．０ｋｇ／ｍ２（１０００枚）程度の厚紙や１５０．０ｋｇ／ｍ２（１０００枚）程度の超厚紙が用いられる。用紙Ｐの厚み（紙厚）としては０．０５〜０．１５ｍｍ程度の厚さのものが用いられる。
【００５３】
次に、カラー複写機１００の制御系について図４を参照して説明する。図４は、カラー複写機１００の制御系の構成を模式的に示している。
【００５４】
図４に示すように、カラー複写機１００は、画像入力部１１、制御部１５、通信部１９、搬送部２０、画像処理部３１、画像メモリ３６、信号生成部３７、操作パネル４８及び画像形成部６０を有する。
【００５５】
制御部１５は、ＲＯＭ３３（Read  Only  Memory）、ＣＰＵ３５（Central  Processing  Unit）、ワーク用のＲＡＭ３４（Random  Access  Memory）、特に図示しない水晶発振器等を有している。ＲＯＭ３３には当該カラー複写機全体を制御するためのシステムプログラムデータが格納されている。ＲＯＭ３３は、画像形成部６０が用紙Ｐに形成する主走査方向／副走査方向の画素数（解像度）などの装置固有の設定情報や、制御部１５が実行可能なプログラムデータなどを格納する。ＲＡＭ３４は、両面モード実行時の制御コマンドの一時記憶や、後述する動作処理における作業用の格納領域を提供する。ＣＰＵ３５は、電源がオンされると、ＲＯＭ３３からシステムプログラムデータを読み出して各部に制御信号を出力することでシステムを起動させ、当該カラー複写機全体を制御する。制御部１５に設けられた水晶発振器は、当該カラー複写機全体の動作タイミングを同期させるため、固有周波数のクロック信号を出力する。
【００５６】
操作パネル４８は、タッチパネルからなる設定部１４及びＬＣＤ（Liquid  Crystal  Display）等である表示部１８を有して構成され、制御部１５の制御の下、操作画面の表示と設定入力を受け付ける。設定部１４は、上述の制御部１５に接続されており、画像形成部６０で画像形成すべき用紙Ｐの紙種や片面又は両面への画像形成等の画像形成条件の操作入力を受け付けて当該制御部１５へ出力する。
【００５７】
また、設定部１４は、この操作の他に、用紙Ｐの副走査方向の位置に応じた主走査方向の変倍率の設定を受け付けることで、表面又は裏面に形成する画像形状を設定可能となっている。また、設定部１４は、画像の濃度設定、用紙サイズの選択、複写枚数の設定等の操作入力を受け付けてもよい。
【００５８】
なお、上述した操作パネル４８での設定内容は、制御部１５の制御の下、ＲＡＭ３４の作業領域に一時的に格納された後、設定内容を反映させる指示入力に基づいて、後述する記憶部３２の紙種別変倍情報３２１の内容を更新して保存される。
【００５９】
この例で、上述のＣＰＵ３５には、制御バス２８及びデータバス２９等のシステムが接続される。データバス２９には表示部１８が接続される。この表示部１８は、画像入力部１１によって取得された画像データＤｉｎに基づいて原稿３０を縮小したプレビュー画像を表示したり、画像生成条件に係る選択項目等をＣＰＵ３５から送られる表示データＤ２に基づいて表示したりする。なお、画像形成条件や画像形成すべき用紙Ｐの紙種などの操作パネル４８の設定内容は、操作データＤ３としてＣＰＵ３５に出力される。
【００６０】
ＣＰＵ３５には制御バス２８及びデータバス２９を介して記憶部３２が接続される。記憶部３２は、操作パネル４８の設定内容を設定項目（用紙の種別、用紙トレイ、画像形成面（裏面／表面））ごとに格納するテーブルデータなどである紙種別変倍情報３２１を格納する。即ち、記憶部３２は、用紙の種別ごとの設定情報を格納する第１記憶部、複数の用紙トレイごとの設定情報を格納する第２記憶部、用紙における画像形成面ごとの設定情報を格納する第３記憶部としての機能を有する。
【００６１】
上述の制御バス２８及びデータバス２９には、画像入力部１１が接続される。画像入力部１１には、図示しないアナログ・デジタル変換器が設けられている。画像入力部１１は、制御部１５からの読取制御信号Ｓ１に基づいて原稿３０から読み取って得たアナログの画像読取信号をＡ／Ｄ変換する。Ａ／Ｄ変換後のデジタルの画像データＤｉｎは、制御バス２８及びデータバス２９に接続された画像メモリ３６に転送される。
【００６２】
画像データＤｉｎは、メモリ制御信号Ｓ２に基づいて画像メモリ３６に格納される。画像メモリ３６には、ハードディスクや半導体記憶メモリなどが使用される。読取制御信号Ｓ１は、制御バス２８を介してＣＰＵ３５から画像入力部１１へ出力され、メモリ制御信号Ｓ２は、同様にして、ＣＰＵ３５から画像メモリ３６の各々に出力される。ＣＰＵ３５は、画像メモリ３６におけるデータの書込／読出制御を実行する。
【００６３】
画像処理部３１は、特に図示しないメモリに３次元色情報交換テーブルが予め格納されており、画像メモリ３６から読み出されたＲＧＢ色系の画像データＤｏｕｔを制御部１５からの画像処理制御信号Ｓ３に基づいてＹＭＣＫ色系の画像データＤｙ、Ｄｍ、Ｄｃ、Ｄｋに色変換する。
【００６４】
画像処理部３１は、前述した画像形成部６０の書込ユニット３に主走査方向のライン単位且つ画素単位に画像データを供給する。画像処理部３１にはＤＳＰ（Digital  Signal  Processor）やＲＡＭ等が使用される。このＲＡＭには、ライン単位且つ画素単位に画像データを供給するための作業領域（ラインバッファ）が設けられており、画像処理されたラインデータが供給前に一時的に格納される。具体的には、主走査方向の１ライン分の画像形成に対応するラインデータを多段に格納する構成である。
【００６５】
上述の制御バス２８には信号生成部３７が接続される。信号生成部３７は、制御部１５からのタイミング発生制御信号Ｓ６と固有周波数のクロック信号等に基づいて、書込ユニット３における主走査方向の画像形成に係るクロック信号を生成する機能部である。即ち、信号生成部３７は、制御部１５の制御に基づいた周期・周波数で主走査方向の画像形成に係るクロック信号を出力する。
【００６６】
この主走査方向の画像形成に係るクロック信号は、書込ユニット３において主走査方向に画素を形成するためのレーザ光源ＬＤの発光タイミングを示す信号である。具体的には、当該クロック信号の１周期分が一画素分の画像形成に該当する信号である。
【００６７】
ポリゴンミラー３０４の回転に伴って感光体ドラム１の主走査方向に走査して画像の書き込みを行う書込ユニット３においては、上述した主走査方向の画像形成に係るクロック信号に基づいてレーザ光源ＬＤの発光タイミングをとることで、そのクロック信号の周期・周波数の変調に応じて主走査方向に形成する画像を変倍することができる。
【００６８】
なお、この主走査方向に形成する画像の変倍調整は、制御部１５において、予めＲＯＭなどに設定されたクロック信号の周期に関する情報であり、主走査方向へ等倍に画像形成を行うクロック信号の１周期の値に対し、変倍率を乗算して得られる値が１周期となるクロック信号を生成するように、タイミング発生制御信号Ｓ６を信号生成部３７に出力することで行われる。
【００６９】
上述の制御バス２８には画像形成部６０が接続される。画像形成部６０は、図１に示した画像形成ユニット１０Ｙ、１０Ｍ、１０Ｃ、１０Ｋから構成される。なお、図４では書込ユニット３と感光体ドラム１のみを示している。画像形成部６０は、ＣＰＵ３５から制御バス２８を介して入力される作像制御信号Ｓ４、画像メモリ３６から読み出された画像データ、前述した信号生成部３７から出力される主走査方向の画像形成に係るクロック信号等に基づいて、書込ユニット３による感光体ドラム１への書き込みを行って、搬送部２０により搬送される用紙Ｐへの画像形成を行う。
【００７０】
制御バス２８には搬送部２０が接続され、ＣＰＵ３５は図１に示した用紙トレイ２０Ａ〜２０Ｃからの用紙の搬送を給紙制御信号Ｓ５に基づいて制御する。例えば、搬送部２０は、制御部１５からの給紙制御信号Ｓ５に基づいて、用紙トレイ２０Ａ〜２０Ｃのいずれかに格納された用紙Ｐを画像形成部６０に搬送する。
【００７１】
データバス２９には通信部１９が接続される。通信部１９は、ＬＡＮ（Local  Area  Network）等の通信回線に接続され、外部のコンピュータやプリンタ等と通信処理する際に使用される。例えば、通信部１９は、カラー複写機１００で読み取った原稿画像を外部のプリンタ等により画像形成出力する場合に、画像データＤｏｕｔ’を外部プリンタに送信する。なお、制御部１５の制御の下、外部のコンピュータで作成された画像データＤｉｎ’を受け付けて画像形成部６０で両面印刷処理などを行う場合も通信部１９の通信機能が利用される。
【００７２】
ここで、前述した操作パネル４８における表面又は裏面に形成する画像形状の設定について、図５〜図９を参照して説明する。図５は、操作パネル４８の設定画面を例示している。図６は、操作パネル４８における画像形状の設定画面を例示している。図７、８は、操作パネル４８における主走査方向の画像形成倍率の設定画面を例示している。図９は、台形状に変形した用紙を例示している。
【００７３】
図５に示すように、操作パネル４８の設定画面は、イメージ情報表示領域Ｇ１１、設定指示入力領域Ｇ１２及び確定指示入力領域Ｇ１３などを有する。イメージ情報表示領域Ｇ１１は、用紙Ｐへの画像形成状態を模式的に例示する表示領域である。具体的には、イメージ情報表示領域Ｇ１１には、用紙の紙面を例示する用紙イメージ画像Ｇ１１ａや、その紙面上の画像形成領域を例示する画像形成領域イメージ画像Ｇ１１ｂなどが表示される。
【００７４】
設定指示入力領域Ｇ１２は、用紙トレイごとに、紙種別、斤量、名称、用紙の表面又は裏面に形成する画像形状を設定するボタンや設定状況を表示する領域であり、紙種別指示領域Ｇ１２ａ、斤量別指示領域Ｇ１２ｂ、名称別指示領域Ｇ１２ｃ、排紙別指示領域Ｇ１２ｄ、表面別指示ボタンＧ１２ｆ及び裏面別指示ボタンＧ１２ｇなどを有する。
【００７５】
紙種別指示領域Ｇ１２ａでは、「普通紙」、「上質縦目」、「上質横目」、「その他」などの紙種を選択するボタンが表示され、いずれかのボタンの選択で反転表示させるなどして、紙種別の設定指示を受け付ける。なお、この紙種別は、材質だけでなく、「Ａ４」、「Ａ５」などの紙の大きさに関する種別であってもよく、特に限定しない。
【００７６】
斤量別指示領域Ｇ１２ｂでは、「〜２０ｇ／ｍ２」、「〜１００ｇ／ｍ２」、「〜２００ｇ／ｍ２」、「２００〜ｇ／ｍ２」などの斤量を選択するボタンが表示され、いずれかのボタンの選択で反転表示させるなどして、斤量別の設定指示を受け付ける。
【００７７】
名称別指示領域Ｇ１２ｃでは、「○○紙」、「××紙」、「△△紙」などの名称を選択するボタンが表示され、いずれかのボタンの選択で反転表示させるなどして、名称別の設定指示を受け付ける。
【００７８】
排紙別指示領域Ｇ１２ｄでは、「用紙トレイ１」、「用紙トレイ２」、「用紙トレイ３」などの搬送部２０の用紙トレイ２０Ａ〜２０Ｃを選択するボタンが表示され、いずれかのボタンの選択で反転表示させるなどして、設定する用紙トレイの選択指示を受け付ける。表面別指示ボタンＧ１２ｆは表面の設定指示を受け付けるボタンであり、裏面別指示ボタンＧ１２ｇは裏面の設定指示を受け付けるボタンである。
【００７９】
確定指示入力領域Ｇ１３では、「ＯＫ」や「キャンセル」などのボタンが表示され、画面上で選択した設定内容を紙種別変倍情報３２１へ反映する指示や、画面上で選択してＲＡＭ３４などに一時的に格納された設定内容をクリアする指示を受け付ける。
【００８０】
カラー複写機１００は、上述した操作パネル４８の設定画面上で設定部１４からユーザの操作入力を受け付けることで、用紙トレイごとに紙種別、斤量、名称を設定することができる。
【００８１】
操作パネル４８には、上述した設定画面に次いで、排紙別指示領域Ｇ１２ｄで選択された用紙トレイの用紙の表面又は裏面に形成する画像形状の詳細を設定する画面、つまり、副走査方向の画像形成位置ごとの主走査方向の画像形成倍率などの値を設定する画面が表示される。
【００８２】
具体的には、図６に示すように、操作パネル４８には、排紙別指示領域Ｇ１２ｄで選択されたいずれかの用紙トレイの用紙について、表面／裏面を指示する表面別指示ボタンＧ１２ｆ、裏面別指示ボタンＧ１２ｇと、その指示された面における主走査方向の倍率設定の開始を指示する設定指示ボタンＢ１と、が表示される。この設定指示ボタンＢ１が選択された場合は、副走査方向の画像形成位置ごとの主走査方向の画像形成倍率を設定する設定画面が操作パネル４８に表示される。
【００８３】
操作パネル４８に表示される副走査方向の画像形成位置ごとの主走査方向の画像形成倍率を設定する設定画面には、図７に示すように、設定指示入力領域Ｇ１２において、画像形成領域の上端の上端変倍率Ｈ１及び下端の下端変倍率Ｈ２と、それらの数値を設定するテンキーを模した画像などである数値指示ボタンＧ１２ｅと、が表示される。この操作パネル４８の設定画面では、数値指示ボタンＧ１２ｅから数値入力を行うなどして、上端変倍率Ｈ１、下端変倍率Ｈ２の設定を行うことができ、確定指示入力領域Ｇ１３でその設定内容を紙種別変倍情報３２１に反映させることができる。
【００８４】
なお、操作パネル４８に表示される副走査方向の画像形成位置ごとの主走査方向の画像形成倍率を設定する設定画面は、図８に示すように、画像形成領域の上端の上端変倍率Ｈ１と、副走査方向の単位長さ当たりにおける主走査方向の変倍率の変化量を示す変倍率変化量Ｈ３と、が設定指示入力領域Ｇ１２に表示され、数値指示ボタンＧ１２ｅでそれらの値を設定する構成であってもよい。
【００８５】
カラー複写機１００では、上述した操作パネル４８で設定された値に基づいた演算をＣＰＵ３５で行うことで、副走査方向の画像形成位置ごとの主走査方向の画像形成倍率を算出する。
【００８６】
ここで、ＣＰＵ３５で行われる副走査方向の画像形成位置ごとの主走査方向の画像形成倍率の演算について、以下に説明する。なお、データの算出に際する定義として、操作パネル４８から設定された上端変倍率Ｈ１、下端変倍率Ｈ２等の倍率は、通常の状態（等倍）にあたる「１」を差し引いた値、即ち、通常の状態に対して１．０１倍に拡大する場合は０．０１として扱うものとする。
【００８７】
画像形成領域の上端と下端における主走査方向の画像形成倍率が上端変倍率Ｈ１、下端変倍率Ｈ２であり、ＲＯＭなどに記憶された設定値である副走査方向の総ライン数をＨｉｇｈｔ、副走査方向Ｎライン目の主走査方向の変倍率をＨ（Ｎ）とする。Ｈ（Ｎ）がＮの一次関数で表現できる、つまり、画像形成領域の上端が上端変倍率Ｈ１、下端が下端変倍率Ｈ２の台形とする場合のＨ（Ｎ）は次の式で求められる。
Ｈ（Ｎ）＝｛上端変倍率Ｈ１＊（Ｈｅｉｇｈｔ−Ｎ）＋下端変倍率Ｈ２＊Ｎ｝／Ｈｅｉｇｈｔ＝上端変倍率Ｈ１＋変倍率変化量Ｈ３＊Ｎ
ただし、変倍率変化量Ｈ３＝（下端変倍率Ｈ２−上端変倍率Ｈ１）／Ｈｅｉｇｈｔ
【００８８】
なお、上述した副走査方向の位置に応じた主走査方向の変倍を行うだけでは、例えば主走査方向の一端である左端から画像形成を行った場合、左右非対称な台形となる。そこで、左右対称に画像形成するためには、主走査方向の変倍とは別に、副走査位置に応じた主走査方向のシフトも行う必要がある。このためのデータであるＮライン目のシフト量Ｓｈｉｆｔ（Ｎ）は次の式で求められる。
Ｓｈｉｆｔ（Ｎ）＝（副走査方向のライン数）×（主走査方向のライン幅の変化量）×Ｎ／２
ただし、（主走査方向のライン幅の変化量）＝変倍率変化量Ｈ３×（主走査方向のライン数）
【００８９】
カラー複写機１００は、操作パネル４８による設定値に基づいたＣＰＵ３５による演算を行うことで、図９に示すように、通常の状態に対して副走査方向の上端と下端の長さが異なる台形状の用紙に応じた画像形成を行うための副走査方向の画像形成位置ごとの主走査方向の画像形成倍率や、副走査方向の画像形成位置ごとの主走査方向のシフト量を算出することができる。
【００９０】
次に、制御部１５の制御に基づいたクロック信号を生成する信号生成部３７の詳細について、図１０〜１４を参照して説明する。図１０は、信号生成部３７の構成を模式的に示している。図１１は、ディレイチェーン部３７１の構成と入出力信号の概要を示している。図１２は、同期信号検出部３７２の構成と入出力信号の概要を示している。図１２（ａ）は、同期信号検出部３７２の構成と入出力信号の概要を示す概念図であり、図１２（ｂ）は、入出力信号のタイミングチャートである。図１３は、セレクタ部３７３の構成と入出力信号の概要を示している。図１４は、信号生成部３７に係る信号のタイムチャートを示している。
【００９１】
信号生成部３７は、図１０に示すように、ディレイチェーン部３７１と、同期信号検出部３７２と、セレクタ部３７３とを備える構成である。この信号生成部３７は、ＣＭＯＳのゲートアレイやエンベデット、セルベース内で構成され、同一のチップ内においてフルデジタルで構成されている。
【００９２】
ディレイチェーン部３７１は、制御部１５から出力される固有周波数のクロック信号ＣＬＫを受け付けてディレイ信号群ＤＬを出力する。同期信号検出部３７２は、ディレイ信号群ＤＬ及び制御部１５から出力されるタイミング発生制御信号Ｓ６に含まれるタイミング信号ＴＲを受け付けてセレクト信号ＳＬを出力する。セレクタ部３７３は、ディレイ信号群ＤＬ及びセレクト信号ＳＬを受け付けて主走査方向の形成に係る同期クロック信号Ｓｙｎｃを出力する。
【００９３】
ディレイチェーン部３７１は、図１１に示すように、インバータ３７１ａ、３７１ｂ…３７１ｎが直列に接続されており、所定のインバータ数ごとに信号が出力される構成である。よって、ディレイチェーン部３７１は、入力されるクロック信号ＣＬＫに対してそれぞれ位相の異なるディレイ信号ＤＬ０…ＤＬｎをディレイ信号群ＤＬとして出力可能となっている。なお、ディレイチェーン部３７１は、上述したインバータ以外を用いる構成であってもよいが、入力信号の波形（デューティー）を崩さないように反転素子を連ねる必要がある。
【００９４】
同期信号検出部３７２は、図１２（ａ）に示すように、フリップフロップ群３７２ａと論理積回路群３７２ｂとを備える構成である。フリップフロップ群３７２ａでは、複数のフリップフロップの一端にタイミング信号ＴＲが入力され、それぞれの他端にはディレイチェーン部３７１からのディレイ信号ＤＬ１…ＤＬｎが各々入力される。論理積回路群３７２ｂでは、フリップフロップ群３７２ａのあるフリップフロップの正端子と隣接するフリップフロップの負端子とを受ける論理積回路が各々接続され、セレクト信号ＳＬ１…ＳＬｎが出力される。従って、同期信号検出部３７２は、ディレイチェーン部３７１で得られたディレイ信号群ＤＬとタイミング信号ＴＲとを受けて、ディレイ信号群ＤＬの中からタイミング信号ＴＲと特定の関係にあるディレイ信号をセレクト信号ＳＬ１…ＳＬｎの出力から検出可能となっている。言い換えると、同期信号検出部３７２は、タイミング信号ＴＲを基準として、ディレイ信号群ＤＬの状態を検出し、その情報をセレクト信号ＳＬとして出力するものである。
【００９５】
カラー複写機１００では、制御部１５の制御の下、この同期信号検出部３７２により、ディレイ信号群ＤＬの周期とタイミング信号ＴＲとの位相関係を検出し、１回目にタイミング信号ＴＲと位相が一致したディレイ信号群ＤＬの出力（例えばセレクト信号ＳＬ１）から、２回目にタイミング信号ＴＲと位相が一致したディレイ信号群ＤＬの出力（例えばセレクト信号ＳＬ１０１）の段数の差を求めることによって、１周期遅延させるために必要な段数を取得することができる。よって、カラー複写機１００では、周期遅延させるために必要な段数と１周期の時間とにより、タイミング信号ＴＲが入力された時点でのディレイチェーン部３７１の１段あたりの遅延量がわかることになり、この情報がセレクト信号ＳＬとして出力される。
【００９６】
例えば、図１２（ｂ）に示すように、セレクト信号ＳＬは、タイミング信号ＴＲの直前にエッジのあったディレイ信号ＤＬｘと、直後にエッジのあったディレイ信号ＤＬｘ＋１が連続しているときだけ（ディレイ信号ＤＬｘとディレイ信号ＤＬｘ＋１のＡＮＤ出力）、Ｈｉｇｈになり得る信号である。
【００９７】
セレクタ部３７３は、図１３に示すように、複数の論理積回路により、セレクト信号ＳＬ１〜ＳＬｎに基づいて所望のディレイ信号群ＤＬを選び出し、同期クロック信号Ｓｙｎｃとして出力可能となっている。例えば、セレクタ部３７３は、セレクト信号ＳＬ１により選択されたディレイ信号ＤＬ１が同期クロック信号Ｓｙｎｃとして出力される。
【００９８】
よって、カラー複写機１００では、制御部１５の制御の下、前述した１回目にタイミング信号ＴＲと位相が一致したディレイ信号群ＤＬの出力、２回目にタイミング信号ＴＲと位相が一致したディレイ信号群ＤＬの出力、１周期遅延させるために必要な段数などに基づいて、セレクタ部３７３でセレクト信号ＳＬ〜ＳＬｎによるディレイ信号の選択を行うことで、同期クロック信号Ｓｙｎｃの周波数・周期の制御を行うことが可能となっている。
【００９９】
具体的には、図１４に示すように、カラー複写機１００では、周期Ｔ１のクロック信号ＣＬＫに対して遅延時間ＴＤＬだけずれて出力されるディレイ信号ＤＬ０…ＤＬｎから、所望のディレイ信号を選択することで、周期Ｔ２の同期クロック信号Ｓｙｎｃが得られる。
【０１００】
例えば、図１４に示すように、最初の立ち下がりがディレイ信号ＤＬｎ−１、次の立ち上がりがディレイ信号ＤＬｎ−２、次の立ち下がりがディレイ信号ＤＬｎ−３…などように、一段ずつ選択するディレイ信号をずらすことで、クロック信号ＣＬＫの１周期に対して２×遅延時間ＴＤＬだけ短い周期の同期クロック信号Ｓｙｎｃを取得することができる。
【０１０１】
また、この場合における同期クロック信号Ｓｙｎｃの周波数ｆは、次の式のとおりである。
ｆ＝１／（クロック信号ＣＬＫの１周期−２×遅延時間ＴＤＬ）
＝（クロック信号ＣＬＫの１周期）／（クロック信号ＣＬＫの１周期−２×遅延時間ＴＤＬ）×クロック信号ＣＬＫの周波数
【０１０２】
なお、信号生成部３７は、一般的なＰＬＬ（Phase-locked loop）を用いる構成であってもよいが、制御部１５からの制御指示に対する応答性などの点から前述したフルデジタルの回路構成であることが好ましい。特に、副走査方向の位置ごとに主走査方向の変倍率を変更する場合は、フルデジタルの回路構成により周波数変調が速やかに行えるため、画像形成時間を短縮することができる。
【０１０３】
次に、制御部１５が制御して行うカラー複写機１００の動作（画像形成）について、図１５、１６を参照して説明する。図１５は、制御部１５が順次実行して行うカラー複写機１００の動作をフローチャートで示している。図１６は、用紙Ｐに形成された画像を例示している。
【０１０４】
図１５に示すように、制御部１５は、通信部１９を経由した他のコンピュータからのプリント要求や操作パネル４８からの操作指示によるプリント／コピー等の画像形成要求があるか否かを判定する（ステップＡ１）。この判定において、その要求がない（Ｎ）間、制御部１５は、次の処理への移行を待機する。
【０１０５】
制御部１５は、画像形成要求がなされた場合（ステップＡ１：Ｙ）、通信部１９を経由した通信や操作パネル４８の入力操作に基づいてその要求に係る画像形成条件の入力を受け付けて、その情報を紙種別変倍情報３２１へ格納する（ステップＡ２）。なお、このステップＡ２における画像形成条件の入力は、前述した操作パネル４８での設定を含むものである。また、プリント要求／コピー要求に基づく処理は略同一であり、コピー要求に基づく処理に画像読取処理を含むことが相違するだけであるため、以下の説明ではコピー要求に関する処理についてのみ行い、プリント要求については省略する。
【０１０６】
次いで、制御部１５は、操作パネル４８などから処理のスタート／ストップのいずれが指示されているかを判定し（ステップＡ３）、スタートが指示されている場合は画像入力部１１から画像を読み取る画像読取処理を行い（ステップＡ４）、両面又は片面のいずれかの画像形成モードであるかを判定する（ステップＡ５）。
【０１０７】
制御部１５は、ステップＡ５において両面モードであると判定した場合、操作パネル４８により紙種別変倍情報３２１に設定されたデータに基づいて、用紙Ｐにおける画像形成面（表面／裏面）ごとに、前述した副走査方向の画像形成位置ごとの主走査方向の画像形成倍率の演算や、副走査方向の画像形成位置ごとの主走査方向のシフト量の演算を含む画像処理を行う（ステップＡ６）。
【０１０８】
次いで、制御部１５は、ステップＡ６の演算結果に基づいて信号生成部３７から書込ユニット３に出力する主走査方向の画像形成に係るクロック信号の周期・周波数の制御とＲＡＭ３４に出力する作像制御信号Ｓ４のタイミングを調整することで、操作パネル４８の設定に基づいた画像形状で表面／裏面ごとに用紙への画像形成を行う（ステップＡ７）。
【０１０９】
具体的には、制御部１５は、副走査方向の画像形成位置ごとの主走査方向の画像形成倍率に基づいて、主走査方向の画像形成に係るクロック信号を制御することで主走査方向に形成する画像の倍率を調整する。また、制御部１５は、主走査方向のシフト量に基づいて、ＲＡＭ３４に出力する作像制御信号Ｓ４のタイミングをシフトさせる、即ち、画素を形成するタイミングをシフトさせることで、主走査方向のシフトを行う。
【０１１０】
次いで、制御部１５は、裏面への画像形成の判定処理（ステップＡ８）と最終ページへの画像形成の有無を判定する判定処理（ステップＡ９）を行い、表面と裏面への画像形成を最終ページまで行い、次の処理に関する指示があるか否か等の終了の有無を判定する（ステップＡ１３）。
【０１１１】
なお、制御部１５は、ステップＡ５で片面モードと判定した場合、ステップＡ２で設定された紙種別変倍情報３２１の内容に基づいて、前述したステップＡ６と同様の処理を行い（ステップＡ１０）、操作パネル４８の設定に基づいた画像形状で用紙のいずれか一方の面（表面のみ又は裏面のみ）に画像形成を行う（ステップＡ１１）。次いで、制御部１５は、最終ページへの画像形成の判定処理を行って（ステップＡ１２）最終ページまで片面への画像形成を行い、次の処理に関する指示があるか否か等の終了の有無を判定する（ステップＡ１３）。
【０１１２】
以上のように、カラー複写機１００は、主走査方向の画像形成に係るクロック信号を生成する信号生成部３７と、副走査方向に相対移動する用紙に対して、信号生成部３７で生成されたクロック信号に同期した主走査方向への画像形成を行う書込ユニット３を有する画像形成部６０と、入力される画像データに基づいて書込ユニット３の駆動用のデータに変換する画像処理部３１と、用紙への画像形成時における画像の副走査方向の位置に関連付けて画像の主走査方向の倍率を設定する操作パネル４８と、画像処理部３１で変換された駆動用のデータに基づいた書込ユニット３での画像形成を行う際に、操作パネル４８で設定された倍率に基づいて、前記副走査方向の相対位置に応じた周波数のクロック信号を生成させるように制御する制御部１５と、を備える構成である。
【０１１３】
これによりカラー複写機１００は、用紙の副走査方向の位置ごとに主走査方向に形成する画像の変倍率を調整して画像形成することができる。よって、カラー複写機１００は、熱定着などにより用紙が台形状に変形される場合であっても、その用紙の変形に対応した画像形成を行うことができ、熱収縮などによる画像劣化を防止することができる。
【０１１４】
具体的には、図１６に示すような主走査方向の長さが副走査方向の位置で異なる台形状に用紙が変形した場合においても、変倍率を適宜設定することで、画像の副走査方向の位置に対応する主走査方向のライン（ｙ１…ｙｎ）長で画像を形成することができ、台形状に変形した用紙に合わせた画像形成領域Ｒで画像形成することができる。
【０１１５】
また、カラー複写機１００は、操作パネル４８において、画像の副走査方向の一の位置における画像の主走査方向の倍率である第１倍率（例えば上端の倍率）及び画像の副走査方向の他の位置における画像の主走査方向の倍率である第２倍率（例えば下端の倍率）を設定し、制御部１５において、その設定された第１倍率及び第２倍率に基づいて、画像の副走査方向の複数の位置について画像の主走査方向の倍率をそれぞれ算出し、当該算出された倍率に基づいて画像形成を制御する構成である。
【０１１６】
これによりカラー複写機１００は、上述した第１の倍率及び第２倍率を設定するだけで、用紙への画像形成時における画像の副走査方向の位置に関連付けて画像の主走査方向の倍率を設定することができ、副走査方向の位置で主走査方向の変倍率を調整して画像形成できる。
【０１１７】
例えば、カラー複写機１００において、主走査方向に平行な台形状を形成すべき画像形状として指定する場合は、上端及び下端の変倍率を設定するだけで、容易に副走査方向の位置に対応する主走査方向の変倍率を設定することができる。
【０１１８】
また、カラー複写機１００は、操作パネル４８において、画像の副走査方向の一の位置における画像の主走査方向の倍率（例えば上端の倍率）及び画像の副走査方向における位置の変化量に応じた主走査方向の変倍率変化量を設定し、制御部１５において、その設定された主走査方向の倍率及び変倍率変化量に基づいて、画像の副走査方向の複数の位置について画像の主走査方向の倍率をそれぞれ算出し、当該算出された倍率に基づいて画像形成を制御する構成である。
【０１１９】
これによりカラー複写機１００は、上述した主走査方向の倍率及び変倍率変化量を設定するだけで、用紙への画像形成時における画像の副走査方向の位置に関連付けて画像の主走査方向の倍率を設定することができ、副走査方向の位置で主走査方向の変倍率を調整して画像形成できる。
【０１２０】
例えば、カラー複写機１００において、主走査方向に平行な台形を形成すべき画像形状として指定する場合は、上端などの一つの主走査方向の変倍率と１ｃｍ当たりの変倍率の変化量などを設定するだけで、容易に副走査方向の位置に対応する主走査方向の変倍率を設定することができる。
【０１２１】
また、カラー複写機１００は、設定部１４により操作者からの設定入力を受け付けることで、用紙への画像形成時における画像の副走査方向の位置に関連付けた画像の主走査方向の倍率を設定することができる。
【０１２２】
また、カラー複写機１００は、操作パネル４８の設定内容を設定項目（用紙の種別、用紙トレイ、画像形成面（裏面／表面））ごとに格納するテーブルデータなどである紙種別変倍情報３２１を格納する記憶部３２を備えており、その紙種別変倍情報３２１の情報を読み出して用紙への画像形成時における画像の副走査方向の位置に関連付けた画像の主走査方向の倍率を設定する構成である。このため、カラー複写機１００は、用紙の種別、用紙トレイ又は画像形成面ごとに、画像形成時における画像の副走査方向の位置に関連付けた画像の主走査方向の倍率を設定することができる。
【０１２３】
なお、上述した実施の形態における記述は、一例を示すものであり、これに限定するものではない。上述した実施の形態における構成及び動作に関しては、適宜変更が可能である。
【０１２４】
例えば、本実施の形態におけるカラー複写機１００は、用紙Ｐの画像形成面において、副走査方向の位置に関連付けて主走査方向に形成する画像の変倍率を算出するためのデータ算出処理を、変倍率の増減を１次関数として算出する構成で示したが、２次関数や指数関数であってよく、特に限定するものではない。
【図面の簡単な説明】
【０１２５】
【図１】本実施の形態に係るカラー複写機の内部構成を示す概念図である。
【図２】画像形成ユニットの構成を示す概念図である。
【図３】書込ユニットの構成を示す概念図である。
【図４】カラー複写機の制御系の構成を模式的に示すブロック図である。
【図５】操作パネルにおける設定画面を例示する概念図である。
【図６】操作パネルにおける画像形状の設定画面を例示する概念図である。
【図７】操作パネルにおける主走査方向の画像形成倍率の設定画面を例示する概念図である。
【図８】操作パネルにおける主走査方向の画像形成倍率の設定画面を例示する概念図である。
【図９】台形状に変形した用紙を例示する概念図である。
【図１０】信号生成部の構成を模式的に示すブロック図である。
【図１１】ディレイチェーン部の構成と入出力信号の概要を示す概念図である。
【図１２ａ】同期信号検出部の構成と入出力信号の概要を示す概念図である。
【図１２ｂ】入出力信号のタイミングチャートである。
【図１３】セレクタ部の構成と入出力信号の概要を示す概念図である。
【図１４】信号生成部に係る信号のタイムチャートである。
【図１５】カラー複写機の動作を例示するフローチャートである。
【図１６】用紙に形成された画像を例示する概念図である。
【符号の説明】
【０１２６】
１００  カラー複写機
１０１  複写機本体
１  感光体ドラム
２  帯電部
２ａ  除電部
３  書込ユニット
４  現像部
６  中間転写体
７Ａ  ２次転写ローラ
７Ｙ、７Ｍ、７Ｃ、７Ｋ  １次転写ローラ
８  クリーニング部
１０  画像形成ユニット
１１  画像入力部
１４  設定部
１５  制御部
１７  定着装置
１８  表示部
１９  通信部
２０  搬送部
２０Ａ〜２０Ｃ  用紙トレイ
２１  送り出しローラ
２２Ａ〜２２Ｄ  給紙ローラ
２３  レジストローラ
２４  排紙ローラ
２５  排紙トレイ
２６  分岐部
２７Ａ  循環通紙路
２７Ｂ  反転搬送路
２７Ｃ  再給紙搬送部
２８  制御バス
２９  データバス
３０  原稿
３１  画像処理部
３２  記憶部
３２１  紙種別変倍情報
３３  ＲＯＭ
３４  ＲＡＭ
３５  ＣＰＵ
３６  画像メモリ
３７  信号生成部
４０  ＡＤＦ
４１  原稿載置部
４２ａ、４２ｂ、４３  ローラ
４４  搬送ローラ
４６  排紙皿
４８  操作パネル
５１  第１のプラテンガラス
５２  第２のプラテンガラス
５３  光源
５４〜５６  ミラー
５７  結像光学部
５８  イメージセンサ
６０  画像形成部
３００  光源部
Ｂ１、Ｂ２  設定指示ボタン
ＣＬＫ  クロック信号
Ｄｉｎ、Ｄｏｕｔ  画像データ
Ｄｉｎ’、Ｄｏｕｔ’  プリントデータ
Ｄ２  表示データ
Ｄ３  操作データ
ＤＬ  ディレイ信号群
ＤＬ０〜ＤＬｎ  ディレイ信号
Ｄｙ、Ｄｍ、Ｄｃ、Ｄｋ  画像データ
Ｇ１１  イメージ情報表示領域
Ｇ１１ａ  用紙イメージ画像
Ｇ１１ｂ  画像形成領域イメージ画像
Ｇ１２  設定指示入力領域
Ｇ１３  確定指示入力領域
Ｈ１  上端変倍率
Ｈ２  下端変倍率
Ｈ３  変倍率変化量
ＬＤ  レーザ光源
Ｐ  用紙
Ｒ  画像形成領域
Ｓ１  読取制御信号
Ｓ２  メモリ制御信号
Ｓ３  画像処理制御信号
Ｓ４  作像制御信号
Ｓ５  給紙制御信号
Ｓ６  タイミング発生制御信号
ＳＬ、ＳＬ０〜ＳＬｎ  セレクト信号
Ｓｏｕｔ  画像読取信号
Ｓｙｎｃ  同期クロック信号
Ｔ１、Ｔ２  周期
ＴＤＬ  遅延時間
ＴＲ  タイミング信号
【図１】
2009175333.tif 000003
【図２】
2009175333.tif 000004
【図３】
2009175333.tif 000005
【図４】
2009175333.tif 000006
【図５】
2009175333.tif 000007
【図６】
2009175333.tif 000008
【図７】
2009175333.tif 000009
【図８】
2009175333.tif 000010
【図９】
2009175333.tif 000011
【図１０】
2009175333.tif 000012
【図１１】
2009175333.tif 000013
【図１２ａ】
2009175333.tif 000014
【図１２ｂ】
2009175333.tif 000015
【図１３】
2009175333.tif 000016
【図１４】
2009175333.tif 000017
【図１５】
2009175333.tif 000018
【図１６】
2009175333.tif 000019